(57)【特許請求の範囲】
【請求項１】
点検対象物に当接させてその振動音の検出を行う先細形状の先端部を有する柱状の金属製聴診端子部と、該検出した振動音を耳を当てて聴取するプラスチック製又はステンレス製の耳あて部と、これら聴診端子部及び耳あて部にそれぞれ両端部が接続する金属製の伝導部とからなる聴診棒であって、
前記聴診端子部はその中心軸に垂直な断面において最も幅の狭い部分の長さが１２.５ｍｍ以上であり、前記先端部の先細形状の傾斜面は前記中心軸に対する傾斜角が４０°以上９０°未満であることを特徴とする聴診棒。
【請求項２】
前記先細形状が円錐形状であり、その中心軸に垂直で且つ直径１２.５ｍｍの断面と該円錐形状の頂部との距離が４〜８ｍｍであることを特徴とする、請求項１に記載の聴診棒。
【請求項３】
前記耳あて部は直径２５〜３５ｍｍの球状部材からなり、前記伝導部は直径３〜８ｍｍで長さ４００〜８００ｍｍの棒状部材からなることを特徴とする、請求項１又は２に記載の聴診棒。
【請求項４】
前記聴診端子部、耳あて部、及び伝導部の総重量が５０〜４００ｇであることを特徴とする、請求項１〜３のいずれか１項に記載の聴診棒。
【請求項５】
前記先端部の頂部から聴診棒の全長の１／４〜１／３の位置で前記伝導部が１０〜３０°の範囲で屈曲していることを特徴とする、請求項１〜４のいずれか１項に記載の聴診棒。
【請求項６】
前記伝導部の両端部は雄ネジ部が形成されており、これら両雄ネジ部にそれぞれ前記聴診端子部及び耳あて部の雌ネジ部が螺合していることを特徴とする、請求項１〜５のいずれか１項に記載の聴診棒。
【請求項７】
前記両雄ネジ部には前記聴診端子部及び耳あて部にそれぞれ当接する２対のダブルナットが螺合していることを特徴とする、請求項６に記載の聴診棒。
【請求項８】
前記伝導部がステンレス製であることを特徴とする、請求項１〜７のいずれか１項に記載の聴診棒。
【請求項９】
前記先端部の傾斜面に深さ０.５〜１.０ｍｍの溝が該先端部の頂部を中心として同心円状又は螺旋状に形成されていることを特徴とする、請求項１〜８のいずれか１項に記載の聴診棒。
【発明の詳細な説明】
【技術分野】
【０００１】
本発明は、設備の点検に用いる聴診棒に関し、特に回転機器類の振動を聴診する聴診棒に関する。
【背景技術】
【０００２】
製錬所などの鉱石の処理を行う工場では、回転駆動部を有するコンベア、ファン、ポンプ、クレーンなどの回転機器類が数多く用いられている。これら回転機器類を安定して稼働させるためには、日常的な設備の巡回点検において回転機器類の異常を早期に発見する必要がある。
【０００３】
回転機器類の巡回点検では主に異常振動や異常発熱などの有無を点検するが、特に異常振動に対しては聴診棒を用いて回転駆動部を聴診する点検が行われている。聴診棒は一般的に細長い棒で構成され、その先端部（以下、端子部とも称する）を点検対象物である回転駆動部の外壁面に当接させると共に反対側の端部に耳を当てることにより回転駆動部で発生する振動音を聴取することができ、これにより機器の異常の有無を判断することができる。
【０００４】
例えば特許文献１には、円柱状の金属棒の先端部を面取りし、さらに金属を磁化することで被点検部位との密着性が高められた聴診棒が開示されている。また、特許文献２には、複数本の円筒状金属棒を伸縮自在に組み合わせ、その先端部に発光体を設けて被点検部位を照らすことが可能な聴診棒が開示されている。
【０００５】
ところで回転駆動部を有する設備は、点検者の作業の安全と機器の保護のために回転駆動部の周りに保護カバーが設置される場合が多い。その場合、人間の足や指が回転駆動部に触れないことを考慮してＪＩＳ  Ｃ  ０９２０におけるＩＰコードの第一特性数字が２以上を目安に保護カバーを設置するのが一般的である。具体的には、棒状体の場合はその直径が１２.５ｍｍ以上であれば保護カバーの隙間から回転駆動部側に侵入できない構造になっている。
【先行技術文献】
【特許文献】
【０００６】
【特許文献１】特開２００６−０３８７３５号公報
【特許文献２】特開２０１２−２０８０４５号公報
【発明の概要】
【発明が解決しようとする課題】
【０００７】
しかしながら、上記したように直径１２.５ｍｍ以上の棒状体が回転駆動部に触れないように保護カバーを取り付けても、一般的な聴診棒の場合はその端子部が誤って回転駆動部に触れることがあった。端子部が回転駆動部に触れると、聴診棒全体が回転駆動部に巻き込まれて回転機器類を破損させるおそれがあるだけでなく、巻き込まれ時に聴診棒全体が“暴れる”ことにより回転機器周辺の機器等にも悪影響を及ぼすおそれがある。
【０００８】
本発明はかかる従来の問題点に鑑みてなされたものであり、ＪＩＳ  Ｃ  ０９２０におけるＩＰコードの第一特性数字が２以上の基準で保護された回転駆動部に巻き込まれるトラブルを生ずることなく点検作業することが可能な聴診棒を提供することを目的としている。
【課題を解決するための手段】
【０００９】
上記目的を達成するため、本発明に係る聴診棒は、点検対象物に当接させてその振動音の検出を行う先細形状の先端部を有する柱状の金属製聴診端子部と、該検出した振動音を耳を当てて聴取するプラスチック製又はステンレス製の耳あて部と、これら聴診端子部及び耳あて部にそれぞれ両端部が接続する金属製の伝導部とからなる聴診棒であって、前記聴診端子部はその中心軸に垂直な断面において最も幅の狭い部分の長さが１２.５ｍｍ以上であり、前記先端部の先細形状の傾斜面は前記中心軸に対する傾斜角が４０°以上９０°未満であることを特徴としている。
【発明の効果】
【００１０】
本発明によれば、ＪＩＳ  Ｃ  ０９２０におけるＩＰコードの第一特性数字が２以上の基準で保護された回転駆動部に巻き込まれるトラブルを生ずることなく当該回転駆動部の点検作業を行うことができる。
【図面の簡単な説明】
【００１１】
【図１】本発明に係る聴診棒の一具体例を示す側面図である。
【図２】図１の聴診棒が有する聴診端子部の側面図である。
【図３】図２の聴診端子部が有する円錐形状の先端部の側面図である。
【発明を実施するための形態】
【００１２】
以下、本発明の一具体例の聴診棒について図１を参照しながら説明する。この本発明の一具体例の聴診棒は、点検対象となる回転機器類の外壁面に当接させる金属製の聴診端子部１と、使用者が耳を当てて該聴診端子部１で検出した回転機器類の振動音を聴取する耳あて部２と、該聴診端子部１で検出した回転機器類の振動音を耳あて部２に伝えるべくこれら聴診端子部１及び耳あて部２にそれぞれ両端部が接続している金属製の伝導部３とから構成される。
【００１３】
各部材についてより具体的に説明すると、聴診端子部１は図２に示すように中実の円柱部材からなり、その外径は１２.５ｍｍ以上、好ましくは１５ｍｍ以上である。これにより、ＪＩＳ  Ｃ  ０９２０におけるＩＰコードの第一特性数字が２以上の基準に準拠した保護カバーの隙間から聴診端子部１が侵入できなくなる。聴診端子部１の外径の上限は特に制約はないが、大きすぎると取扱いが不便になるので通常は２５〜３０ｍｍ程度である。同様の簡便な取扱いの理由から聴診端子部１の端から端までの長さは２０〜５０ｍｍ程度が好ましく、２５〜３０ｍｍ程度がより好ましい。
【００１４】
なお、図２に示す本発明の一具体例の聴診棒では聴診端子部１が円柱部材で構成されているが、聴診端子部１は四角柱や六角柱などの角柱でもよく、この場合は、上記のＪＩＳ  Ｃ  ０９２０におけるＩＰコードの第一特性数字が２以上の基準に準拠させるため、聴診端子部１の中心軸に垂直な断面において最も幅の狭い部分の長さが１２.５ｍｍ以上であることが必要であり、好ましくは１５ｍｍ以上である。
【００１５】
聴診端子部１の先端部１ａは円錐形状になっており、これにより点検対象である機器の外壁面に確実に当接してその振動音を正確に検出することができる。この先細形状の先端部１ａは、図３に示すように中心軸Ｏに対する傾斜面の傾斜角θが４０°以上９０°未満である。特に先細形状が円錐形状の場合は、その中心軸Ｏに垂直で且つ直径１２.５ｍｍの断面と該円錐形状の頂部との距離が４〜８ｍｍの範囲内となる。これにより、聴診棒の取り扱いが容易になる。なお、傾斜角θの上限は６０°以下が好ましく、これにより聴診作業がより一層容易になる。また、先端部１ａの形状は円錐形状のほか、ドーム形状、切頭円錐形状、三角錐や四角錐などの角錐形状若しくは切頭角錐形状等の他の先細形状でもよい。
【００１６】
本発明の一具体例の聴診棒は、聴診端子部１において上記先端部１ａとは反対側に位置する伝導部３との接続部１ｂも先細形状になっている。特に、接続部１ｂは中心軸Ｏに垂直な面で頂部を切り落とした切頭円錐形状になっており、これにより形成される末端面に後述するダブルナットが当接する。この末端面の中央には雌ネジ部が螺刻されており、ここに伝導部３の一端部の雄ネジ部が螺合する。上記のように接続部１ｂも先細形状にする理由は、使用時に聴診端子部１が点検部周辺の電気配線などに引っ掛かりにくくなって取扱いが容易になる上、検出した振動音を耳あて部２に伝える金属製の伝導部３の外径を細く加工でき、伝導部３の重量の軽量化が可能になるからである。
【００１７】
伝導部３の材質である金属はステンレスであることが好ましい。その理由は、乾式製錬所などの熱処理を伴う装置が設置されている工場においては、機器の点検場所が非常に高温雰囲気になる場合があり、使用者が手で持つ部分である伝導部３を熱伝導率が低いステンレスにすることで、聴診端子部１からの熱伝導を抑えて作業者が触れる伝導部３又は耳あて部２が高温にならないようにできるからである。ステンレスの中ではＳＵＳ３０４が特に好ましい。ＳＵＳ３０４は一般的な炭素鋼であるＳＳ４００に対して熱伝導率が３分の１程度である上、容易に入手可能であって加工も容易だからである。
【００１８】
本発明の一具体例の聴診棒は、図１に示すように伝導部３が直線形状の棒状部材で形成されており、その直径は３〜８ｍｍ、長さは４００〜８００ｍｍであるのが好ましい。これにより、聴診棒を全長４５０〜９００ｍｍ程度の細長構造にすることができ、容易に収納したり持ち運んだりすることができる。伝導部３は図１の２点鎖線で示すように、先端部１ａから聴診棒の全長の１/４〜１/３の位置で１０〜３０°の範囲で屈曲していてもよい。これにより、点検部位の位置を目視で確認しながら耳あて部２に耳に当てて聴診することができる。
【００１９】
聴診端子部１の先端部１ａの傾斜面には、先細形状の先端部１ａの頂部を中心にして深さ０.５〜１.０ｍｍの１又は複数本の溝１ｃが同心円状又は螺旋状に形成されているのが好ましい。これにより、回転駆動部の外壁面に先端部１ａを当接して聴診点検する際に該先端部１ａがすべりにくくなり、より確実に聴診することが可能になる。なお、図２には頂部を中心として同心円状に３本の溝１ｃが形成された場合を示している。溝１ｃの幅は特に制約はないが、溝１ｃの深さと同等の０.５〜１.０ｍｍ程度であれば簡単に形成することができるので好ましい。
【００２０】
耳あて部２は直径２５〜３５ｍｍの中実の球状部材で構成されるのが好ましい。耳あて部２の材質はプラスチックでもよいし、ステンレスでもよい。これらの材質の中ではプラスチックがより好ましい。その理由は、人体、特に頭部の柔らかい皮膚部に直接触れる耳あて部２は、伝導部３よりもさらに低い熱伝導が好ましいためである。例えば一般的なプラスチックであるポリプロピレンであればＳＳ４００と比較して熱伝導率が数１００分の１程度である。
【００２１】
この伝導部３の両端部は雄ネジ部が形成されており、これら両雄ネジ部にそれぞれ聴診端子部１及び耳あて部２の雌ネジ部が螺合している。伝導部３は金属製の棒状部材からなるので、その両端部に雄ネジ加工を施すのは容易である。また、柱状部材からなる聴診端子部１に雌ネジ加工を施すのは容易であり、耳あて部２も球状部材であれば容易に雌ネジ加工を施すことができる。
【００２２】
図１に示すように、伝導部３の両端部の雄ネジ部には聴診端子部１及び耳あて部２にそれぞれ当接する２対のダブルナット４が螺合しているのが好ましい。このようにダブルナットで締め付けることにより、聴診端子部１と伝導部３との螺合部、及び耳あて部２と伝導部３との螺合部が回転駆動部の点検時に振動を受けて緩みやすくなるのを防止することができる。
【００２３】
上記した聴診端子部１、耳あて部２及び伝導部３で聴診棒を構成することにより聴診棒全体の重量を５０〜４００ｇにでき、取扱いの容易な軽量な聴診棒にすることができる。そして、この聴診棒であれば、ＪＩＳ  Ｃ  ０９２０におけるＩＰコードの第一特性数字が２以上の基準で保護された回転駆動部に巻き込まれるトラブルを防ぐことができる。
【符号の説明】
【００２４】
１    聴診端子部
１ａ  先端部
１ｂ  接続部
１ｃ  溝
２    耳あて部
３    伝導部
４    ダブルナット
Ｏ    中心軸
【図１】
0006380989.tif 000002
【図２】
0006380989.tif 000003
【図３】
0006380989.tif 000004